(57)【要約】      （修正有）【課題】低コストで構造が簡単であり、弓体からゴムの着脱が容易でゴムの強さを変えられ、かつ実際の弓に酷似する機能を有する和弓の練習用具を提供すること。【解決手段】垂直握り棒１の一端部に略水平に突出する固定部を形成した弓体３と、前記固定棒の突出先端部に保持された１本または複数本のゴム材より成る和弓の練習用具において、前記突出部のゴム室後側に、ゴム支柱９を支柱受台に固着したキャップ８を弓体に着脱可能に設けた。【選択図】    図１
2004209197.tif 000002
【特許請求の範囲】
【請求項１】
垂直握り棒の一端部に略水平に突出部を形成した弓体と、前記突出部の突出先端から繰り出された１本または複数本のゴム材よりなる和弓の練習用具において、前記弓体には前記突出部のゴム口につながったゴム室を設け、同ゴム室後側に、ゴム支柱を支柱受台に固着したキャップを前記弓体に着脱可能に設けたことを特徴とする和弓の練習用具。
【発明の詳細な説明】
【０００１】
【発明の属する技術分野】
本発明は、和弓の基本練習を行う用具に関する。
【０００２】
【従来の技術】
一般に、弓道を志す初心者は、まず基本の射法を体得するため弓を持たず矢を番えないで射型の練習を行う必要がある。
このための練習用具としては、実用新案登録第３０７５０６５号公報に示されるような装置があった。このほか、単にゴム素材のまま、または握り棒の上端にゴム材を固着した簡単なゴム弓が用いられている。これらゴム弓に使用されているゴム材はその殆どが断面管状のゴム管であったり、または大径ゴム管内に小径ゴム管を挿入したいわゆる二重ゴム管であった。
【０００３】
このようなゴム弓を用いて練習する際は、押し手（左手）で握り棒を勝手（右手）でゴム材の後端を持つ。弓道八節に従って弓構え（両手の間隔を１５ｃｍ程度離して弓を持つ姿勢）から打ち起こし（両手を水平に保ちつつ、腕を４５度挙上する）のあと、弓の張力に応えながら力を加え左右に引き分ける。中力（４０ｃｍ程度引いた状態）で気息を整えた後、さらに引き分けて会（８５〜９５ｃｍの矢束まで一杯に引いた状態）に達し、会を十分に保った後に離れ（左手を押したまま右手のゴム部材を離す）となる。
【０００４】
ところが従来のゴム管または二重ゴム管のゴム弓では、会までゴムを引くためにゴムの伸び率から５０ｃｍ以上の長さが必要で、５５ｃｍ程度のゴムが付けてあった。
従って、左右のバランスと気合を整える上で重要なポイントである中力に至ってもゴムが弛んでいて力が全く掛からず、５０ｃｍまで引き分けてようやく張力が出始めてその後は急速に強まる。このような張力変化は、実際の弓の場合と大きく異なっていた。
また、従来ゴム弓は会まで一杯引くと７ｋｇ以上になる強いゴムが、取付け部から離脱する事故を予防するために、ゴムを握り棒に頑丈に固縛されていた。その為にゴムの取替えが容易でなく、強さの変更も出来ず、またゴムが劣化したり破損した場合にもゴムの交換に時間と手間がかかった。
その上、ゴムの両端を握り棒の上下に固着する方式では、離れでゴムが押し手（左手）に諸に当たり、苦痛を伴っていた。
一方、ゴムが強すぎていたために握り棒の上部一か所にゴムを固定する方式では、不自然に上押し（押し手を下方に押す力）を掛ける習慣が付いてしまう等の不具合もあった。
更にまた、特開２００２−６５９２１号公報図２、図３で示すようなゴム挿入溝から板状ゴムを装着する方式は、効果的確実に装着の機能を有するものの、ゴムを一杯引いて離した時、たまたまゴムが前記挿入溝からはみ出してしまうことがあった。
【０００５】
【公知文献】
特開２００２−６５９２１号公報
【０００６】
【発明が解決しようとする課題】
このように、従来の和弓の練習用具の機能は、実際の弓の機能とかけ離れており、練習の効果が期待できにくいだけでなく、悪い癖がつく恐れもあり、ゴムが損傷しても容易に交換ができない問題があった。そこにゴム弓が必須の練習教科と認識されながら、敬遠され或いは短期間しか使用されない原因があった。
本発明の目的は、低コストで構造が簡単でありかつ実際の弓の機能に酷似する機能を有する和弓の練習用具を提供することにあり、特開２００２−６５９２１号公報図２、および図３で示すゴム弓構造でたまに生じていた離れでゴムが挿入溝からはみ出すという不具合をなくすようにすることである。
【０００７】
【課題を解決するための手段】
上記の目的を達成するために本発明は、垂直握り棒の一端部に略水平に突出部を形成した弓体と、前記突出部の突出先端から繰り出された１本または複数本のゴム材よりなる和弓の練習用具において、前記弓体には前記突出部のゴム口につながったゴム室を設け、同ゴム室後側に、ゴム支柱を支柱受台に固着したキャップを前記弓体に着脱可能に設けたことを特徴とする。
【０００８】
【発明の実施の形態】
以下、図面を参照して本発明の実施の形態例を説明する。しかしながら、かかる実施の形態例が、本発明の技術的範囲を限定するものではない。
図１は、本発明にかかる和弓の練習用具の全体図を示し、図２以下でキャップおよび突出部付近の詳細を図示する。
握り棒（１）の中央部に弓把（２）を有する弓体（３）の上端部付近に、射手から見て右側へほぼ水平に突出する突出部（４）を設けている。突出部（４）の先端はゴム（５）が通るゴム口（６）が形成され、この空間はゴム室（７）を経て後方に貫通している。ゴム室（７）の背面には弓体（３）から着脱可能にキャップ（８）が装着されている。キャップ（８）は逆Ｌ状でゴム支柱（９）が固設されており、キャップ装着時にはゴム室（７）を覆うカバーとなる。弓体（３）の突起受け（１０）に嵌入する突起（１１）をキャップ（８）の下端に設ける。キャップ（８）と弓体（３）が接するそれぞれの面に磁石（１２）を取り付け、キャップ（８）の外側にノブ（１３）を設ける。図３に示すように突出部（４）の手前側の前方曲壁（１４）と後方曲壁（１５）はいずれも穏やかなカーブを形成し、後方曲壁（１５）は前方曲壁（１４）より長く突出させる。また、図４に示すように弓体（３）下端には鉛等のバランサー（１６）を内蔵させる。
【０００９】
このように構成した練習用具においてゴムを装着するときは、ノブ（１３）を押してキャップ（８）を上方にスライドさせて、弓体（３）からキャップ（８）を取り外す。輪状のゴム（５）を折り曲げてその一端をゴム口（６）から入れ、ゴム室（７）を経て後側に抜き出しキャップ（８）のゴム支柱（９）に掛ける。この状態でゴム口（６）側のゴム（５）を引くと、キャップ（８）が弓体（３）に近づく。突起受（１０）に突起（１１）を嵌着させた後、磁石（１２）の磁力でキャップ（８）が弓体（３）に装着される。別の取り付け方法として、キャップ（８）を取り外してゴム（５）を先にゴム支柱（９）に掛けて、前述とは反対にゴム（５）をゴム室（７）に通してゴム口（６）側へ引き出すようにすることも出来る。
【００１０】
このように構成した練習用具を用いて弓の基本を習得するときは、押し手（１７）で弓体（３）の弓把（２）部分を握り、勝手（１８）栂指を環状ゴムの環に入れて持ち、弓構えの姿勢から打ち起こし、引き分けに入る。図５に示すようにゴムは前方曲壁（１４）に当って伸びる。中力を経て会を保ち上押しを緩めず、押し手（１７）の手の内で伸び合い会に至り大きく左右に離す。
【００１１】
本発明ゴム弓は、引き始めの比較的早い段階から、ゴムの張力が両手に加わり、特に重要な中力で既に張力が存在し、さらに会まで徐々に強くなって行く。この張力の変化は実際の弓の変化に近似する。
練習者の体力に応じたゴムの強さの調整は、ゴムの着脱が簡便であることを利用して、太さ、厚み、巾などの違ったゴムを入れ替えるとか、ゴムの本数を増やすことにより容易に加減できる。
【００１２】
会まで伸びたゴムは、離れで縮んで元に戻った後、反対方向に伸びて再び元に戻る。ゴム弓では再三、離れでゴムが押し手に当たるが、縮む時に直接当たるものと反対方向に一旦伸びて戻る時に当たる場合の二通りがある。
ゴムの取り付位置が弓体の手前側にあれば反撥力でゴムが直接押し手に当たり、弓体の裏側にあるゴムを右側に回して引くとゴムは弓体を右に回って直接は当たらないが、返りに押し手の裏から当たり、従来のゴム弓はこのいずれかである。
ゴムを弓体（３）より右に出た突出部（４）の先端に取り付ける方式では、直接押し手に当たることはないが、持ち方等により戻りに当たる事がままある。
本発明ゴム弓は、前方曲壁（１４）より長く突出させた後方曲壁（１５）により、反対方向への反撥力を分散したので反対方向への反撥力は緩和され、殆ど押し手に当たらない効果が得られる。
また、前方曲壁（１４）と後方曲壁（１５）の曲面が穏やかなカーブを形成しているので、引き分け時、離時のいずれもゴムが曲面になじみゴムの衝撃を緩和するのでゴムが傷み難いという効果がある。
【００１３】
また、ゴムが右に出た突出棒の先端に取り付けられ、押し線（押し手の中心線）より右に偏位することで、トルク（回転モーメント）が生じる。このトルクは偏位した距離が遠い程大きくなるが、実験では１０ｍｍ程度で適当なトルクが得られる。会まで角の見を効かす（押し手の母指根を弛めずに押す）と左回転のモーメントの働きで実際の弓の弓返りに相当する作用を感じられ、手の内の習得ができ好都合である。更にまた、実際の弓は握りからの長さが上より下が短いため上押し（押し手を下方に押す力）が必要であるが、本発明のゴム弓はゴムを押し手よりやや上部位置に固定するので実際の弓の上押しに近い働きが押し手にかかる、実験では２０ｍｍ程度で初心者のゴム弓として適当である。
【００１４】
さらに、弓体の長さが３０ｃｍ程度と短いために、弓を握った時のような重量感、バランス感覚が乏しくなるが、弓体下部に鉛等のバランサーを密封することにより、極力実際の弓に近い感覚が得られる
【００１５】
【発明の効果】
以上、詳しく説明してきたが本発明和弓練習用具は、張力の変化、中力で既に出ている張力、トルク、上押しの力など実際の弓の機能に近似した機能を有しており、弓道八節の弓構えから残心までの射法を正しく効果的に習得することができ、初心者の射技の向上に大きく寄与することができるという効果を奏する。
さらに帯状のゴムを固定棒に装着する際は、ゴム挿入溝から挿入してゴム支柱を取り巻くように隙間に装着するのではなく、弓体（３）から取り外したキャップ（８）のゴム支柱（９）にゴム（５）を掛け、これを、弓体（３）に装填する方式としたので、ゴム材の取り替えが手早くかつ容易となり、練習中に弓体からゴムがはずれることが皆無となり、安心して練習ができる。
また、前方曲壁（１４）より長く突出させた後方曲壁（１５）で、ゴム（５）の反撥力を分散させ弱める効果が生まれる。
さらにまた、ゴム弓としての張力を変更調整するために、太さが違ったゴムに取り替えたり、複数本重ねて装填することが極めて容易である。
【図面の簡単な説明】
【図１】本発明にかかる和弓の練習用具の縦断面斜視図である
【図２】図１のＡ−Ａ線断面図である
【図３】図１のＢ−Ｂ線断面図である
【図４】図１のＣ−Ｃ線断面図である
【図５】本発明和弓の練習用具の会の正面図である
【符号の説明】
１    握り棒
２    弓把
３    弓体
４    突出部
５    ゴム
６    ゴム口
７    ゴム室
８    キャップ
９    ゴム支柱
１０  突起受け
１１  突起
１２  磁石
１３  ノブ
１４  前方曲壁
１５  後方曲壁
１６  バランサー
１７  押し手
１８  勝手
【図１】
2004209197.tif 000003
【図２】
2004209197.tif 000004
【図３】
2004209197.tif 000005
【図４】
2004209197.tif 000006
【図５】
2004209197.tif 000007